(57)【特許請求の範囲】
【請求項１】
管の内部に収容するために適合されている回転式のバルブ板であって、
上記バルブ板における振動を吸収する緩衝パッドは、実質的に平坦な第１の表面および実質的に平坦な第２の表面を含んでおり、上記バルブ板が閉塞位置まで回転させられているときに、上記緩衝パッドは上記管の内面に接触させるために適合されており、
上記第１の表面が、上記バルブ板の表面に取り付けられており、上記第２の表面が、上記第１の表面と実質的に平行に伸びており、上記第２の表面が、高い密度を有している圧縮されたくぼみ領域を含んでおり、上記圧縮されたくぼみ領域が上記バルブ板に溶接されており、
上記緩衝パッドが上記バルブ板の端部を覆っている部分を含んでおり、当該部分が、上記バルブ位置が閉塞位置にあるとき、上記管の内面にはまり込んでいる、バルブ板。
【請求項２】
上記緩衝パッドが編まれている金属メッシュを含んでいる、請求項１に記載のバルブ板。
【請求項３】
編まれている上記金属メッシュがステンレス鋼を含んでいる、請求項２に記載のバルブ板。
【請求項４】
上記バルブ板の反対側の端部から伸びている第１の脚部および第２の脚部を有しており、上記バルブ板に取り付けられている回転軸、ならびに
上記第１の脚部および第２の脚部それぞれを囲んでおり、上記管を貫通する開口によって受け入れられている、振動を吸収する第１の軸受けおよび第２の軸受けをさらに備えている、請求項１に記載のバルブ板。
【請求項５】
上記第１の軸受けおよび第２の軸受けが上記緩衝パッドと同じ材料によって構成されている、請求項４に記載のバルブ板。
【請求項６】
上記第１の軸受けおよび第２の軸受けが編まれている金属メッシュを含んでいる、請求項４に記載のバルブ板。
【請求項７】
編まれている上記金属メッシュがステンレス鋼を含んでいる、請求項６に記載のバルブ
板。
【請求項８】
圧縮された上記くぼみ領域が実質的に環状である、請求項１に記載のバルブ板。
【請求項９】
管状の排気管の内部に配置するための、排気圧によって動作するバルブアッセンブリであって、
バルブフラップ、回転軸および振動を吸収する緩衝パッドを含んでおり、
上記バルブフラップは、第１の湾曲端および第２の湾曲端、ならびに第１の直線端および第２の直線端を有しており、上記第１の湾曲端および第２の湾曲端は、当該バルブフラップが閉塞位置にあるときに、上記排気管と実質的に一致しており、当該排気管と接しており、上記第１の直線端および第２の直線端は、上記第１の湾曲端および第２の湾曲端の間に伸びており、上記バルブフラップが開放位置および閉塞位置の間において回転させられているときに、上記管の内面と上記バルブフラップとの間に隙間をもたらしており、
上記回転軸は、上記バルブフラップが当該回転軸の長軸について回転するように当該バルブフラップを上記排気管に取り付けるために適合されており、上記第１の湾曲端および第２の湾曲端の間において上記バルブフラップに取り付けられており、上記バルブフラップの上記第１の直線端および第２の直線端から外側に突出している第１の脚部および第２の脚部を含んでおり、上記排気管の開口に受け入れられるように適合されており、
上記緩衝パッドは、編まれている金属メッシュを含んでおり、上記バルブフラップの上記第１の湾曲端および第２の湾曲端のうちの一方に取り付けられており、上記緩衝パッドは、上記管の内面と一致し、接触する湾極端を含んでおり、上記緩衝パッドは、上記バルブフラップが上記閉塞位置に移動しているとき、上記バルブフラップおよび上記管の間における衝撃を和らげ、
上記緩衝パッドが上記バルブ板の端部を覆っている部分を含んでおり、当該部分が、上記バルブ位置が閉塞位置にあるとき、上記管の内面にはまり込んでいる、バルブアッセンブリ。
【請求項１０】
上記緩衝パッドが編まれている金属メッシュを含んでいる、請求項９に記載のバルブアッセンブリ。
【請求項１１】
編まれている上記金属メッシュがステンレス鋼を含んでいる、請求項１０に記載のバルブアッセンブリ。
【請求項１２】
上記回転軸の上記第１の脚部および第２の脚部それぞれを囲んでいる、振動を吸収する第１の軸受けおよび第２の軸受けをさらに備えている、請求項９に記載のバルブアッセンブリ。
【請求項１３】
上記第１の軸受けおよび第２の軸受けが上記緩衝パッドと同じ材料によって構成されている、請求項１２に記載のバルブアッセンブリ。
【請求項１４】
上記第１の軸受けおよび第２の軸受けが編まれている金属メッシュを含んでいる、請求項１２に記載のバルブアッセンブリ。
【請求項１５】
編まれている上記金属メッシュがステンレス鋼を含んでいる、請求項１４に記載のバルブアッセンブリ。
【請求項１６】
上記バルブ板に対する溶接のために適合されている、上記緩衝パッドにおける圧縮されたくぼみ領域をさらに含んでいる、請求項１０に記載のバルブアッセンブリ。
【請求項１７】
圧縮された上記くぼみ領域が実質的に環状である、請求項１６に記載のバルブアッセンブリ。
【発明の詳細な説明】
【技術分野】
【０００１】
本開示は振動を吸収する緩衝パッドを備えているバルブ板またはバルブフラップに関する。
【背景技術】
【０００２】
この項は本開示と関連している背景の情報を提供しており、当該情報は必ずしも先行技術ではない。
【０００３】
自動車の分野における多くの排気システムは、エンジンスピードの上昇によって排気圧が上昇するように管を通る排気の流量の特性を変えるために、能動的なバルブアッセンブリおよび受動的なバルブアッセンブリの両方の使用を試みている。能動的なバルブは、特別な動作要素（例えばソレノイド）を必要とするというコストの増大をともなう。受動的なバルブは、バルブが取り付けられている管における排気流の圧力を利用している。
【０００４】
低コストではあっても、受動的なバルブは、バルブが開放位置から完全な閉塞位置に切り替わり、バルブ板の一部がバルブを収納している管の内面と接触するときに、磨耗および振動性の雑音もしくはがたつく音に拍車をかけるという問題を生じる。
【発明の概要】
【０００５】
この項は、本開示の概要を提供しており、開示のすべての範囲または特徴点のすべての網羅的な開示ではない。
【０００６】
管の内部に収容するために適合されている回転式のバルブ板であって、上記バルブ板における振動を吸収する緩衝パッドは、上記バルブ板の表面に取り付けられており、上記バルブ板が閉塞位置まで回転させられているときに、上記表面は上記管の内面に接触させるために適合されている。
【０００７】
開示されている技術のさらなる局面において、管状の排気管の内部に配置するための、排気圧によって動作するバルブアッセンブリは、バルブフラップを含んでいる。上記バルブフラップは第１の湾曲端および第２の湾曲端を有している。上記第１の湾曲端および第２の湾曲端は、上記バルブフラップが閉塞位置にあるときに、上記排気管と実質的に一致しており、当該排気管と接している。上記バルブフラップの第１の直線端および第２の直線端は、上記第１の湾曲端および第２の湾曲端の間に伸びており、上記バルブフラップが閉塞位置にあるときに上記管の内面と上記バルブフラップとの間に隙間をもたらしている。回転軸は、上記バルブフラップが当該回転軸の長軸について回転するように当該バルブフラップを上記排気管に取り付けるために適合されている。上記回転軸は、上記バルブフラップの上記第１の直線端および第２の直線端の外側に突出している第１の脚部および第２の脚部を含んでおり、上記排気管の開口に受け入れられるように適合されている。振動を吸収する緩衝パッドは、上記バルブフラップの上記第１の湾曲端および第２の湾曲端のうちの一方に取り付けられている。
【０００８】
さらなる適用範囲は本明細書に与えられている説明から明らかになる。この概要における説明および特定の例は、例示のみを目的としており、本開示の範囲を限定することを目的としていない。
【０００９】
本発明において説明されている図面は、選択されている実施形態の例示のみを目的としており、考え得るすべての実施ではなく、本開示の範囲を限定することを目的としていない。
【００１０】
本教示の目的および特徴は、以下の図面と関連付けられている詳細な説明を読むことによって明らかになる。
【００１１】
対応する参照番号は、複数の図面を通して対応する部分を示している。
【図面の簡単な説明】
【００１２】
【図１Ａ】本教示にしたがって配置されているスナップ動作バルブ板アッセンブリの前面を示す平面図である。
【図１Ｂ】本教示にしたがって配置されているスナップ動作バルブ板アッセンブリの側面を示す平面図である。
【図２】上記板の背面側から取り外されている緩衝パッドおよびバルブ板の分解図である。
【図３】組み立てられている緩衝パッド／バルブ板の状態における上記バルブ板の背面を示す図である。
【図４】本教示にしたがって配置されているバルブ板アッセンブリの前面を示す斜視図である。
【図５Ａ】本教示にしたがって配置されているスナップ動作バルブ板を収納している管の端部の断面を示す図である。
【図５Ｂ】本教示にしたがって配置されているスナップ動作バルブ板を収納している管の側部の断面を示す図である。
【発明を実施するための形態】
【００１３】
例示の実施形態が、添付の図面を参照してここで十分に説明される。
【００１４】
本開示が、詳細なものであり、当業者にその範囲を十分に伝えるように、例示の実施形態は提供されている。多くの特定の詳細は、本開示の実施形態の十分な理解をもたらすために、特定の構成部品、装置および方法の例として述べられている。特定の詳細が採用される必要がないこと、例示の実施形態が多くの異なる形態において具体化され得ること、および開示の範囲を限定していると理解されるべきではないことは、当業者にとって明らかである。いくつかの例示の実施形態において、公知のプロセス、公知の装置構造および公知の技術を詳細に説明していない。
【００１５】
本明細書に使用されている用語は、特定の例示の実施形態を説明することのみを目的としており、限定を目的としていない。本明細書に使用されるとき、単数形“ａ”、“ａｎ”および“ｔｈｅ”は、文脈に明らかに示されている場合を除いて、複数形も同様に包含しているとを意味し得る。用語“含んでいる（comprises）”、“含んでいる（comprising）”、“含んでいる（including）”および“有している”は、包括的であり、したがって述べられている特徴、整数、ステップ、動作、要素および／または構成部品の存在を特定しているが、他の特徴、整数、ステップ、動作、要素、構成部品および／またはそれらの集団の存在または追加を除外していない。
【００１６】
用語、第１、第２、第３などは、種々の要素、構成部品、領域、層および／または部分を説明するために使用され得るが、それらの用語によって限定されるべきではない。これらの用語は、１つの要素、構成部品、領域、層または部分を、他の要素、構成部品、領域、層または部分から区別するためにのみ使用され得る。“第１”、“第２”および他の数値の用語といった用語は、本明細書に使用されるとき、文脈に明らかに示されている場合を除いて、順序または序列を示していない。したがって、以下に述べられている第１の要素、構成部品、領域、層または部分は、例示の実施形態の教示から逸脱することなく、第２の要素、構成部品、領域、層または部分と名づけられ得る。
【００１７】
空間的に相対的な用語（例えば、“内部”、“外部”、“〜の下”、“〜より下”、“下部”、“〜より上”および“上部”など）は、図面に示されている他の（複数の）要素または特徴に対する１つの要素または特徴の関連性を説明する記載を容易にするために本明細書において使用され得る。空間的に相対的な用語は、図面に示されている方向に加えて、使用または動作における装置の異なる方向を包含していることを意味し得る。例えば、図面における装置が反転されている場合、他の要素または特徴“より下”または“の下”と記載されている要素は、そのとき、当該他の要素“より上”に位置している。したがって、例示の用語“〜より下”は〜より上および〜より下の両方の位置を包含し得る。装置は、それ以外のように方向付けられ（９０度だけ回転されるか、または他の方向に向けられ）得、本発明に使用される空間的に相対的なディスクリプタ（descriptor）はそれに応じて解釈され得る。
【００１８】
図１Ａ、１Ｂ、２、３および４を参照して、スナップ動作のバルブ板１００は、前面１１０、背面１１２、および回転軸１１６を受け入れるための上記バルブ板におけるくぼみ１１４を有している。
【００１９】
バルブ板１００および回転軸１１６は、同一出願人による米国特許第７，４３１，５７０号に開示されているスナップ動作のバルブアッセンブリと実質的に類似である。スナップ動作の板１００に対する改良点は、背面１０６および前面１０８を有している振動を吸収する緩衝パッド１０２の追加である。緩衝パッド１０２の圧縮されたくぼみ領域１０４ａおよび１０４ｂは、高い密度を有しており、くぼみ１０４ａおよび１０４ｂの領域においてバルブ板１１０に緩衝パッドを溶接するより硬い箇所をもたらす。くぼみ領域１０４ａおよび１０４ｂは、示されているように実質的に環状であることが好ましい。
【００２０】
緩衝パッド１０２は、振動を吸収する、編まれている金属メッシュ材料、好ましくはステンレス鋼によって構成されていることが好ましい。
【００２１】
図１Ａから分かるように、回転軸１１６は、バルブ板１１０の反対側から伸びている第１の脚部および第２の脚部を有しており、これらの脚部のそれぞれは、軸受け１１８ａおよび１１８ｂによって囲まれており、これらもまた、編まれているステンレス鋼のメッシュによって構成されていることが好ましい。
【００２２】
緩衝パッド１０２は、バルブ板１１０の動作端部の一方を覆うようにバルブ板１１０に溶接されている。ここで、上記動作端部の一方は、上記バルブが図５Ａおよび図５Ａおよび５Ｂにおいて実線として示されているような完全に閉塞位置まで回転しているときに、バルブ板が取り付けられいる管の内面と接触する。バルブ板１２０は、図５Ｂにおいて、上記バルブが完全に開放位置まで回転しているときの架空の輪郭として示されている。ここで、バルブ板１００の直線端１２０および１２２が、管５００の内面と接触しており、この完全な開放位置において端１２０および１２２は管５００の長軸５０３と実質的に平行である。図５Ａに示されているバルブ１００の閉塞位置にあるバルブ板１００の湾極端１２４および１２６は、管５００の一致する弧状の内面と接していることが分かる。緩衝パッド１０２の前面１０８は、バルブ板が完全な閉塞位置まで回転しているときに、板１２０および管５００の間に生じる衝撃を和らげる。メッシュ状の緩衝パッドは、振動を吸収し、バルブ板１２０の振動性の雑音および過度の磨耗を最小化する。
【００２３】
以上の記載は、例証および例示を目的として設けられている。以上の記載は、網羅的なものであると意図されないか、または本発明を限定すると意図されない。特定の実施形態の個々の要素または特徴は、その特定の具体例には一般的に限定されないが、適用可能な場合には、特に示されていないか、または記載されていなくとも、当該要素または特徴は、交換可能であり、選択されている実施形態に使用され得る。そのような変形物は、本発明から逸脱するとは見なされるべきではないし、そのようなすべての変更は、本発明の範囲内に含められていると意図される。
【図１Ａ】
0005638061.tif 000002
【図１Ｂ】
0005638061.tif 000003
【図２】
0005638061.tif 000004
【図３】
0005638061.tif 000005
【図４】
0005638061.tif 000006
【図５Ａ】
0005638061.tif 000007
【図５Ｂ】
0005638061.tif 000008